(57)【特許請求の範囲】
【請求項１】
両端にそれぞれつば部を有しコイルを巻回するコイル巻部とこのコイル巻部の中央部に鉄心を嵌入させる嵌合部を有する一対のボビンと、
これら一対のボビンのつば部同士をそれぞれ対向させるとともに前記ボビンの嵌合部同士を一致させて連結する電磁機器において、
前記一対のボビンのうちの一方のボビンのつば部にはこの一方のボビンの嵌合部を挟んで対向する一対の第１の連結部を設け、
他方のボビンのつば部にはこの他方のボビンの嵌合部を挟んで対向し前記第１の連結部の内面に重なり合う一対の第２の連結部を設け、
これらの重なり合う第１，第２の連結部のうち、一方の連結部には、この一方の連結部の外側面から突出する一対の第１の連結支持部と、これら第１の連結支持部間であって前記一方の連結部の中央に位置する係合受部とをそれぞれ設け、
他方の連結部には、この連結部の外側面から突出して一対の前記第１の連結支持部が挿入可能な間隔を形成する一対の第２の連結支持部と、これら第２の連結支持部間であって前記他方の連結部の中央に位置する係合突部とをそれぞれ設け、
前記第１の連結部と前記第２の連結部とをそれぞれ重ね合わせて係合させたとき前記係合受部に前記係合突部が係合して前記一対のボビン同士が連結固定されることを特徴とする電磁機器。
【発明の詳細な説明】
【０００１】
【産業上の利用分野】
本発明は、漏洩変圧器などの電磁機器に係るボビン同士の連結構造に関する。
【０００２】
【従来の技術】
従来例について、図６ないし図１０を参照して説明する。
【０００３】
５０は、１次コイル５３を巻回する両端にそれぞれ対向して設けられたつば部５１を有する略コ字形のコイル巻部５２と、このコイル巻部５２の中央部に鉄板を積層した断面略ロ字形の鉄心５５を嵌合する略長方形の孔をなした嵌合部５６と、からなる第１のボビンである。また、嵌合部５６の中心Ｏ−Ｏは、第１のボビン５０の中心であるボビン軸心５７となっているとともに、嵌合部５６を区画する壁はボビン軸５８を形成している。
【０００４】
第１のボビン５０の一方のつば部５１には、ボビン軸５８に沿うとともに嵌合部５６を挟んで対向する平板状で略長方形をした一対の第１の連結部５が設けられている。
【０００５】
さらに、これら第１の連結部５４には、横長の略長方形をした係合孔または係合凹部からなる係合受部５９がそれぞれ設けられている。また、つば部５１の端部には、それぞれ端子台６０が設けられている。
【０００６】
７０は、２次コイル７３を巻回する両端にそれぞれ対向して設けられたつば部７１を有する略コ字形のコイル巻部７２と、このコイル巻部７２の中央部に鉄板を積層した断面略ロ字形の鉄心５５を嵌合する略長方形の孔をなした嵌合部５６と、からなる第２のボビンである。また、嵌合部５６の中心Ｏ−Ｏは、第２のボビン７０の中心であるボビン軸心５７となっているとともに、嵌合部５６を区画する壁はボビン軸５８を形成している。
【０００７】
第２のボビン７０の一方のつば部７１には、ボビン軸５８に沿うとともに嵌合部５６を挟んで対向する平板状で略長方形をした一対の第２の連結部７４が設けられている。
【０００８】
さらに、これら第２の連結部７４には、外方に突出した横長で略三角形をした係合突部７９がそれぞれ設けられている。また、つば部７１の端部には、それぞれ端子台８０が設けられている。なお、第１の連結部５４と第２の連結部７４とをそれぞれ重なり合わせたとき、第１の連結部５４に形成した係合凹部からなる係合受部５９に第２の連結部７４に形成されて略三角形に突出した係合突部７９とが係合して、第１のボビン５０と第２のボビン７０とが連結固定される。
【０００９】
【発明が解決しようとする課題】
上記のように従来の電磁機器に係るボビン同士を連結する係合手段は、第１の連結部に設けた係合受部５９と第２の連結部７４に設けた係合突部７９とからなるので、第１のボビン５０と第２のボビン７０を連結する場合、第１の連結部５４には外方に広がろうとする力が、第２の連結部７４には内方に狭くなろうとする力が作用する。そこで、第１の連結部５４は外方に、第２の連結部７４は内方にそれぞれ変形する。このため、第１のボビン５０の嵌合部５６と第２のボビン７０の嵌合部５６とがボビン軸心５７に対して直角方向に位置ずれして段差が生じる場合がある。この場合には、一対のボビン嵌合部にそれぞれ共通な鉄心５５を挿通することが困難になり連結作業に手間を要するという問題があった。
【００１０】
本発明は上記の点に鑑みてなされたもので、一対のボビンの連結部が変形せず、ボビンの一体化が容易にできるとともに作業性が向上する電磁機器を提供することを目的とする。
【００１１】
【課題を解決するための手段】
前記目的を達成するために、本発明の電磁機器は、両端にそれぞれつば部を有しコイルを巻回するコイル巻部とこのコイル巻部の中央部に鉄心を嵌入させる嵌合部を有する一対のボビンと、これら一対のボビンのつば部同士をそれぞれ対向させるとともに前記ボビンの嵌合部同士を一致させて連結する電磁機器において、前記一対のボビンのうちの一方のボビンのつば部にはこの一方のボビンの嵌合部を挟んで対向する一対の第１の連結部を設け、他方のボビンのつば部にはこの他方のボビンの嵌合部を挟んで対向し前記第１の連結部の内面に重なり合う一対の第２の連結部を設け、これらの重なり合う第１，第２の連結部のうち、一方の連結部には、この一方の連結部の外側面から突出する一対の第１の連結支持部と、これら第１の連結支持部間であって前記一方の連結部の中央に位置する係合受部とをそれぞれ設け、他方の連結部には、この連結部の外側面から突出して一対の前記第１の連結支持部が挿入可能な間隔を形成する一対の第２の連結支持部と、これら第２の連結支持部間であって前記他方の連結部の中央に位置する係合突部とをそれぞれ設け、前記第１の連結部と前記第２の連結部とをそれぞれ重ね合わせて係合させたとき前記係合受部に前記係合突部が係合して前記一対のボビン同士が連結固定されることを特徴とする。
【００１２】
【作用】
上記の構成において、ボビン同士を連結する係合受部および係合突部とからなる係合手段を設けた第１の連結部および第２の連結部に、これら連結部の変形を防止する第１の連結支持部および第２の連結支持部を設けたので、ボビン同士を連結するとき、第１の連結部に外方に向かう力および第２の連結部に内方に向かう力が作用してもこれら連結部は変形することはない。
【００１３】
このため、ボビン同士のボビン軸がずれることもなく、ボビンの嵌合部への鉄心の挿入も容易にでき作業性も向上する。更に、ボビン同士の連結も確実にすることができる。
【００１４】
【実施例】
以下、図１ないし図５を参照して本発明の実施例を説明する。なお、従来技術と同一の構成は同一番号を付与して説明する。
【００１５】
図１は本発明の一実施例に係る第１のボビンを示す斜視図である。
【００１６】
１は、１次コイル５３を巻回する両端にそれぞれ対向して設けられたつば部５１を有する略コ字形のコイル巻部５２と、このコイル巻部５２の中央部に鉄板を積層した断面略ロ字形の鉄心５５を嵌合する略長方形の孔をなした嵌合部５６と、からなる第１のボビンである。また、嵌合部５６の中心Ｏ−Ｏは、第１のボビン１の中心であるボビン軸心５７となっているとともに、嵌合部５６を区画する壁はボビン軸５８を形成している。
【００１７】
第１のボビン１の一方のつば部５１には、ボビン軸５８に沿うとともに嵌合部５６を挟んで対向する平板状で略長方形をした一対の第１の連結部２が設けられている。
さらに、これら第１の連結部２には、横長の略長方形をした係合孔又は係合凹部からなる係合受部５９がそれぞれ設けられている。この係合受部５９が設けられた第１の連結部２の両端外側面には、この外側面に対して直角方向に突出する略三角形の第１の連結支持部３が対向して設けられている。また、つば部５１の端部には、それぞれ端子台６０が設けられている。
【００１８】
１１は、２次コイル７３を巻回する両端にそれぞれ対向して設けられたつば部７１を有する略コ字形のコイル巻部７２と、このコイル巻部７２の中央部に鉄板を積層した断面略ロ字形の鉄心５５を嵌合する略長方形の孔をなした嵌合部５６と、からなる第２のボビンである。また、嵌合部５６の中心Ｏ−Ｏは、第２のボビン１１の中心であるボビン軸心５７となっているとともに、嵌合部５６を区画する壁はボビン軸５８を形成している。
【００１９】
第２のボビン１１の一方のつば部７１には、ボビン軸５８に沿うとともに嵌合部５６を挟んで対向する平板状で略長方形をした一対の第２の連結部１２が設けられている。
【００２０】
さらに、これら第２の連結部１２には、外方に突出した横長の略三角形をした係合突部７９がそれぞれ設けられている。この係合突部７９が設けられた第２の連結部１２の外側面には、この外側面に対して直角方向に突出する略三角形の第２の連結支持部１３がそれぞれ対向して設けられている。また、対向して設けられた第２の連結支持部１３間の間隔は、第１のボビン１の第１の連結部２が挿入可能に形成されている。つば部７１の端部には、それぞれ端子台８０が設けられている。なお、第１の連結部２と第２の連結部１２とをそれぞれ重なり合わせたとき、第１の連結部２に形成した係合凹部からなる係合受部５９に第２の連結部１２に形成した略三角形に突出した係合突部７９とが係合して、第１のボビン１と第２のボビン１１とが連結固定される。
【００２１】
次に上記実施例の動作を説明する。
【００２２】
上記のように本発明の電磁機器にかかるボビン同士の連結構造として、第１の連結部２に形成した係合受部５９と第２の連結部１２に形成した係合突部７９とからなる係合手段を設けるとともに、これら連結部の変形を防止する連結支持部、つまり、第１の連結部２の外面に第１の連結支持部３を第２の連結部１２の外面に第２の連結支持部１３をそれぞれ設けている。この連結構造で第１のボビン１と第２のボビンを連結する場合、第１の連結部２には外方に拡がろうとする力が、第２の連結部１２には内方に狭くなる力が作用する。しかし、これら第１の連結部２および第２の連結部１２には、連結時に作用する変形を防止する第１の連結支持部３および第２の連結支持部１３が設けられているので、連結部２,１２が変形することはない。このため、ボビンの一体化が容易にできるとともに作業性が向上する。
【００２３】
【発明の効果】
以上詳記したように本発明によれば、ボビン同士を連結する係合手段を有する連結部にそれぞれ連結部の変形を防止する連結支持部を設けたので、連結部が変形せず、ボビンの一体化が容易にできるとともに作業性が向上する。
【図面の簡単な説明】
【図１】本発明の第１実施例に係る第１のボビンを示す斜視図。
【図２】同実施例に係る第２のボビンを示す斜視図。
【図３】同実施例における第１のボビンと第２のボビンとの連結状態を側面方向から見た側面図。
【図４】同実施例における第１のボビンと第２のボビンとの連結状態を正面方向から見た正面図。
【図５】同実施例における第１のボビンと第２のボビンとの連結状態を側面方向から見た側面図。
【図６】従来技術に係る第１のボビンを示す斜視図。
【図７】従来技術に係る第２のボビンを示す斜視図。
【図８】従来技術における第１のボビンと第２のボビンとの連結状態を側面方向から見た側面図。
【図９】従来技術における第１のボビンと第２のボビンとの連結状態を正面方向から見た正面図。
【図１０】従来技術における第１のボビンと第２のボビンとの連結状態を側面方向から見た側面図。
【符号の説明】
１…第１のボビン,
２…第１の連結部,
３…第１の連結支持部,
１１…第２のボビン,
１２…第２の連結部,
１３…第２の連結支持部,
５１…つば部,
５６…嵌合部,
５９…係合受部,
７１…つば部,
７９…係合突部。
【図１】
0003598585.tif 000002
【図２】
0003598585.tif 000003
【図３】
0003598585.tif 000004
【図４】
0003598585.tif 000005
【図５】
0003598585.tif 000006
【図６】
0003598585.tif 000007
【図７】
0003598585.tif 000008
【図８】
0003598585.tif 000009
【図９】
0003598585.tif 000010
【図１０】
0003598585.tif 000011